(57)【要約】【課題】偏光無依存型アイソレータにおいて、複屈折結晶によるビームシフトを補正する構造。角度調整が簡便で、レンズ特性が変動せず、反射減衰量も充分確保できる方法を提案する。  【解決手段】シングルモードファイバ６Ａ、グレイデッドインデックスファイバ７Ａ、コアレスファイバ８、グレイデッドインデックスファイバ７Ｂ、シングルモードファイバ６Ｂをこの順番に接続し光ファイバ体９とした。その後基体１２に前記光ファイバ体９を接着固定し、その後、基体１２ごと、光ファイバ体９のコアレスファイバ８の部分を分断し溝部１０を形成した後に溝部１０内にグレイデッドインデックスファイバ７Ａのコアレスファイバ側端面とグレイデッドインデックスファイバ７Ｂのコアレスファイバ８側端面のいずれにも光結合するように光アイソレータ素子１を光軸に対して傾斜させたことを特徴とする【選択図】図１
2006047951.tif 000002
【特許請求の範囲】
【請求項１】
第１のシングルモードファイバと該第１のシングルモードファイバに接続され中心軸から外周に向かって徐々に屈折率が減少する第１のグレイデッドインデックスファイバと該第１のグレイデッドインデックスファイバに接続されコアを持たないコアレスファイバと、該コアレスファイバに接続される第２のグレイデッドインデックスファイバと、該第２のグレイデッドインデックスファイバに接続される第２のシングルモードファイバとからなる光ファイバ体が基体に配設されるとともに、該基体に光アイソレータ素子を配置するための溝部が前記コアレスファイバで分離するように形成され、前記溝部内に光アイソレータ素子を配置してなる光アイソレータにおいて、前記第１のグレイデッドインデックスファイバのコアレスファイバ側端面と第２のグレイデッドインデックスファイバのコアレスファイバ側端面のいずれにも光結合するように前記光アイソレータ素子を光軸に対して傾斜させたことを特徴とする光アイソレータ。
【請求項２】
前記光アイソレータ素子は複数の複屈折基板により構成されていることを特徴とする請求項１に記載の光アイソレータ。
【請求項３】
前記溝部の形成角度を、光軸に対して前記光アイソレータの傾斜角度と略同じとしたことを特徴とする請求項１又は２に記載の光アイソレータ。
【請求項４】
前記溝部に透光性充填材を充填することを特徴とする請求項１〜３のいずれかに記載の光アイソレータ。
【請求項５】
前記透光性充填材の屈折率が前記コアレスファイバの屈折率に対し０．９４〜１．０６倍であることを特徴とする請求項４に記載の光アイソレータ。
【請求項６】
前記光ファイバ体には石英が用いられ、前記溝部の角度と前記アイソレータの傾斜角度の関係がｘ軸を溝部の角度、ｙ軸をアイソレータの傾斜角度として以下の数１〜数４に挟まれた範囲内とすることを特徴とする請求項５に記載の光アイソレータ。
【数１】
2006047951.tif 000011
【数２】
2006047951.tif 000012
【数３】
2006047951.tif 000013
【数４】
2006047951.tif 000014
【発明の詳細な説明】
【技術分野】
【０００１】
本発明は非相反性を利用した光アイソレータに関し、特に光通信用に好適な偏光無依存型光アイソレータに関する。
【背景技術】
【０００２】
光アイソレータは方向性を有し、順方向には光を通すが、逆方向には光を遮断するという機能を有する。光通信、光計測に利用される半導体レーザー（以下ＬＤと略す）は外部から反射光が戻り、ＬＤの活性層に入射すると内部の干渉状態が崩れ、波長のズレ、出力の変動等の不具合を起こす。ＬＤを安定して発振させるために、逆方向の光を遮断する光アイソレータが活用されている。高精度な計測、高速な変調による通信、高密度化のために波長の厳重な制御が必要な通信では光アイソレータは不可欠となっている。
【０００３】
図２に従来の偏光無依存型光アイソレータの構成と動作を示す。入射光ファイバ１３、第1の複屈折結晶２、ファラデー回転子５、第２の複屈折結晶３、第３の複屈折結晶４、出射光ファイバ１４からなる。実際には入射光ファイバと第１の複屈折結晶２の間と第３の複屈折結晶３と出射光ファイバ１４の間にレンズがあるがここでは略す。
【０００４】
図中の（Ａ）〜（Ｅ）はそれぞれの場所での、光線の位置と偏光方向を示し、矢印の中心が光線位置、矢印の方向が偏光方向で、図中の左から見た状態である。
【０００５】
（あ）は順方向の動作を示す。
【０００６】
入射光ファイバ１３から出た光は（Ａ）では偏光状態は混合している。第１の複屈折結晶２を通過する時に常光と異常光に分離し異常光は複屈折をおこし光線がシフトする。（Ｂ）に示すように複屈折によって２つの光線に分離される。その後、ファラデー回転子５で偏光方向を４５度回転させ（Ｃ）のような状態になる。更に第２の複屈折結晶３で４５度偏光方向を回転させ（Ｄ）のような偏光状態になる。第３の複屈折結晶４では複屈折のため、（Ｅ）にて光線が合成され出射光ファイバ１４に伝搬していく。
【０００７】
一方、逆方向の動作を（い）に示す。
【０００８】
出射光ファイバ１４から出た光は（Ｅ）の位置では偏光方向が混合している。第３の複屈折結晶４で複屈折が起こり、（Ｄ）に示すように２つの光線に分離する。第２の複屈折結晶３を通過する時に偏光面が回転するが、この回転は相反現象であるため、順方向とは反対方向に回転し（Ｃ）の状態となる。次にファラデー回転子５で偏光面を回転するが、ファラデー回転は光の進行方向に依存しない非相反な回転のため、順方向と同じ方向に回転し（Ｂ）の状態になる。順方向の時と偏光方向が逆転するため、分離は更に大きくなり（Ａ）に示すように入射光ファイバ１３からは位置ズレがある状態となり、ここで逆方向損失を生じる。
【０００９】
以上のように複屈折結晶を用いた偏光無依存型光アイソレータは光線のシフトを利用おり、上述の構成では入射光ファイバ１３と出射光ファイバ１４の位置はずれている
特許文献１に通常のレンズの代わりにコア拡大ファイバを用いて、小型に集約する例が開示されている。その際、入射側と出射側のコア拡大ファイバが軸ズレを生じないようにアイソレータ素子を傾けてビームのシフトを補正している。
【００１０】
また、同様にコア拡大ファイバを用いた光アイソレータが特許文献２に開示されている。この例でも入射側と出射側のコア拡大ファイバが軸ズレを生じないようにアイソレータ素子を傾けるのと共に、楔形の素子を用いている。
【００１１】
また、コア拡大ファイバでなく、ロッドレンズを用いた例が特許文献３に開示されている。
【特許文献１】特開平８−１９４１３０号公報
【特許文献２】特開平９−５４２８３号公報
【特許文献３】特開平８−２８６１５０号公報
【発明の開示】
【発明が解決しようとする課題】
【００１２】
従来技術では、図２に示すとおり、入射側と出射側でビームシフトが生じ、入射側の光ファイバと出射側の光ファイバをずらせて設置する必要があり、アライメントが煩雑で、構造は大型化する傾向があった。
【００１３】
また、特許文献１、２ではビームシフトを補正するためにアイソレータ素子を傾けているが、特許文献１では、コア拡大ファイバの端面の角度について何も記載されていないため、どのように斜めに保持するかが不明確であり、コア拡大ファイバとアイソレータ素子との間隙の状態が判らないものであった。
【００１４】
一方、特許文献２では、コア拡大ファイバの端面を斜めに形成し、その同一の角度にてアイソレータ素子の端面を形成し、その端面同士を当接させているが、ここではコア拡大ファイバとアイソレータ素子の角度の関係が非常に重要であり、実際は、アイソレータ素子とコア拡大ファイバ間の間隙をゼロにすることは出来ないため、コア拡大ファイバの角度誤差に対応したアイソレータ素子の設置の調整が煩雑になる。
【００１５】
さらに、特許文献２ではビームシフトを補正する為に楔形の光学部品が必要となり複雑化してしまう。
【００１６】
また、特許文献１、２に用いられているコア拡大ファイバは、レンズの大きさこそ従来より小型であるものの、シングルモードファイバを長時間の熱処理によって、コアのドーパントを拡散させて作製するという手間の掛かるものであった。
【００１７】
特許文献３では反射を防ぐためにロッドレンズそのものの端面を傾斜させている。ロッドレンズの集光特性は長さに依存しているため、ロッドレンズの端面を斜めにすることはロッドレンズの中心からの距離によって、レンズの長さが変わってしまいレンズの特性が変わってしまうことになる。
【００１８】
また、２つのロッドレンズの相互の角度に加え、アイソレータ素子の角度も関連するため実際の調整は非常に煩雑なものである。ロッドレンズの端面の角度とアイソレータ素子の角度の相互の角度が最適値からずれると挿入損失が大きく低下することになってしまう。
【課題を解決するための手段】
【００１９】
以上のような課題を鑑み、光アイソレータ素子によるビームシフトを補正し、反射減衰量を確保しながら、挿入損失の低く、容易に調整組立が可能な光アイソレータを提案する。
【００２０】
具体的には、第１のシングルモードファイバと該第１のシングルモードファイバに接続され中心軸から外周に向かって徐々に屈折率が減少する第１のグレイデッドインデックスファイバと該第１のグレイデッドインデックスファイバに接続されコアを持たないコアレスファイバと、該コアレスファイバに接続される第２のグレイデッドインデックスファイバと、該第２のグレイデッドインデックスファイバに接続される第２のシングルモードファイバとからなる光ファイバ体が基体に配設されるとともに、該基体に光アイソレータ素子を配置するための溝部が前記コアレスファイバで分離するように形成され、前記溝部内に光アイソレータ素子を配置してなる光アイソレータにおいて、前記第１のグレイデッドインデックスファイバのコアレスファイバ側端面と第２のグレイデッドインデックスファイバのコアレスファイバ側端面のいずれにも光結合するように前記光アイソレータ素子を光軸に対して傾斜させた光アイソレータとした。
【００２１】
また、前記光アイソレータ素子は複数の複屈折基板により構成されていることを特徴とする。
【００２２】
さらに、前記溝部の形成角度を、光軸に対して前記光アイソレータの傾斜角度と略同じとしたことを特徴とする。
【００２３】
また、前記溝部に透光性充填材を充填することを特徴とする。
【００２４】
前記透光性充填材の屈折率が前記コアレスファイバの屈折率に対し０．９４〜１．０６倍であることを特徴とする。
【００２５】
即ち通常光ファイバとして用いられる溶融石英の屈折率約１．４５に対しては前記透光性充填材の屈折率は１．３６３から１．５３７となる。
【００２６】
また、前記光ファイバ体には石英が用いられ、前記溝部の角度と前記アイソレータの傾斜角度の関係がｘ軸を溝部の角度、ｙ軸をアイソレータの傾斜角度として以下の数１〜数４に挟まれた範囲内とすることを特徴とする。
【数５】
2006047951.tif 000003
【数６】
2006047951.tif 000004
【数７】
2006047951.tif 000005
【数８】
2006047951.tif 000006
【発明の効果】
【００２７】
本発明によれば、第１のグレイデッドインデックスファイバのコアレスファイバ側端面と第２のグレイデッドインデックスファイバのコアレスファイバ側端面のいずれにも光結合するように光アイソレータ素子を光軸に対して傾斜させることにより、有効に光アイソレータ素子内でのビームシフトを補正することができ、入射側、出射側の光ファイバの軸ズレが生じず、小型で組立が容易な偏光無依存型の光アイソレータが提供できる。
【００２８】
また、光ファイバを一体化したコアレスファイバ部に溝を形成しているため、入射側、出射側のコアレスファイバの傾斜面はほぼ自動的に平行とすることができ、光ファイバ相互の調整は不要になる。
【００２９】
ファイバ端面に角度をつける場合はコアレスファイバを斜めにカットするので、レンズそのものを斜めにするような光学特性の変化は発生せず、また、グレイデッドインデックスファイバは斜めカットによる屈折の影響を殆ど受けない。
【００３０】
コアレスファイバとアイソレータ素子の間隙に屈折率をコアレスファイバの屈折率に対し０．９４〜１．０６倍に調整した透光性充填材を充填しているので、境界面での屈折率差が殆どなくなるため、コアレスファイバの端面を何度にしても（例え、斜めにしなくても）反射減衰量を充分確保できる。
【００３１】
例えば、透光性充填材が無く、空気（屈折率が１）の場合であって、空気と光ファイバの境界が斜めでなければ減衰量は１５ｄＢにも達し、アイソレータとして用いることが出来ない。
【００３２】
また、透光性充填材が無く、空気（屈折率が１）の場合でも空気と光ファイバの境界（溝角度）を斜めにしても光線のズレを補正できるが、それは、ビーム半径を２０μｍとし、ビームズレによる損失を０．３ｄＢ以内に抑えるとすれば、これはビームズレを５μｍ以内に抑えることになるが、横軸に溝角度、縦軸に光アイソレータ素子角度で示した図５（Ａ）の２本の直線の間の範囲でしかない。
【００３３】
ところが、石英系の光ファイバ体を用い透光性充填材の屈折率を１．３６３〜１．５３７とした場合、同様に横軸に溝角度、縦軸に光アイソレータ素子角度で示した図５（Ｂ）の斜線部の範囲の角度で０．３ｄＢ以下を満たすことになり、空気より遥かに広範囲で位置合わせ作業が容易となる。
【００３４】
従って本発明によれば、コアレスファイバの端面角度によらず、前述と同様に境界面での屈折率差が殆どなくなり、光線は殆ど屈折しない為、コアレス端面角度と光アイソレータ素子の設置角度は全く別の角度に出来る。コアレスファイバ端面の角度ばらつき等は考慮せず、光アイソレータ素子の角度調整のみを行えば挿入損失の低い光アイソレータが容易に作製可能となる。
【発明を実施するための最良の形態】
【００３５】
以下に本発明に係る実施形態について図面に基づき詳細に説明する。なお、各図において同一部材については、同一符号を付し説明を省略するものとする。
【００３６】
図１に示すように、光アイソレータM１は、基体１２に、シングルモードファイバ６A、グレイデッドインデックスファイバ７A、コアを持たないコアレスファイバ８、グレイデッドインデックスファイバ７B、シングルモードファイバ６Bを順に順列に接続した光ファイバ体９を固定してなる。
【００３７】
基体１２から突出したシングルモードファイバ６Ａ、６Ｂは一定の長さを備えた所謂ピグテイル形状としている（図示せず）。また、基体１２はコアレスファイバ８の中央を分断するように光軸に対して斜めに傾斜した溝部１０を有しており、その溝部１０内に配設した光イソレータ素子１を介して光接続させるようにしている。
【００３８】
そして、本発明の特徴とするところは、グレイデッドインデックスファイバ７Ａのコアレスファイバ８側端面とグレイデッドインデックスファイバ７Ｂのコアレスファイバ８側端面のいずれにも光結合するように光アイソレータ素子１を光軸に対して傾斜させたものである。
【００３９】
ここで、光結合とは、グレイデッドインデックスファイバ７Ａ、７Ｂのコアの中心が光軸の中心と一致するようにすることをいい、グレイデッドインデックスファイバ７Ａ、７Ｂのコアの断面積よりも光の径が小さいことを条件とする。
【００４０】
なお、上記コアレスファイバ８の長さ（溝部１０を形成していない場合の長さ）は、２つのグレイデッドインデックスファイバ７Ａ、７Bによるビームスポットが中央で一致する（焦点を持つ）ように調整されている。
【００４１】
具体的には、ＭＦＤ（Mode Field Diameter）が例えば１０μｍの第１のシングルモードファイバ６Ａ、Ｐ（ピッチ）が０．２５以上の第１のグレイデッドインデックスファイバ７Ａ、グレイデッドインデックスファイバ７Ａから出射される光のビームウエストとグレイデッドインデックスファイバ７Ａの出射端面の距離をｄとして、長さ２ｄのコアレスファイバ８、第１のグレイデッドインデックスファイバ７Ａと同じ長さの第２のグレイデッドインデックスファイバ７Ｂ、シングルモードファイバ６Ｂを縦列に接続し、光ファイバ体９としている。
【００４２】
さらに、例えば、幅２ｍｍ，長さ１２ｍｍ程度の長手方向に溝のあるジルコニア製の板に光ファイバ体９を固定する。さらに、基体１２の光ファイバ体９が挿入された貫通孔に対して、コアレスファイバ８の部分で横切るように幅１．８ｍｍ程度の溝部１０を形成する。
【００４３】
また、溝部１０の形成角度を、光軸に対して光アイソレータ素子１の傾斜角度と略同じとするのが好ましい。この理由は、特別な治工具、調整を必要とせず溝部１０に沿って設置できるからある。透光性充填材１１のために、コアレスファイバ８と透光性充填材１１の境界面では殆ど屈折が生じないため光アイソレータ素子１の設置角度と溝部１０の形成角度は自由に設定できるためで、同一の角度にし、簡便に組み立てやすい角度関係とすることも可能である。
【００４４】
この溝部１０に、第１の複屈折結晶２、ファラデー回転子５、第２の複屈折結晶３、第３の複屈折結晶４を一体化して作製した光アイソレータ素子１を設置するとともに、光アイソレータ素子１の第１の複屈折結晶２、第３の複屈折結晶４の光入出射面とコアレスファイバ８の一端部との間に屈折率をコアレスファイバ８に整合させた透光性充填材１１を設ける。なお、ここでは磁界印加手段は省略する。また、光アイソレータ表面は透光性充填材１１に対し、反射量０．２％以下の反射防止膜が形成されているものとする。
【００４５】
なお、グレイデッドインデックスファイバ端面に点光源があったときのコリメート条件はＰ＝０．２５と規定されているが、実際に、結合効率が最も高いのは２つのグレイデッドインデックスファイバ７Ａ、７Ｂの中央でビームウエストが一致する（焦点を持つ）場合である。Ｐ＝０．２５のときではビームウエストはちょうどグレイデッドインデックスファイバ７Ａ、７Ｂの出射端面に位置することになり、グレイデッドインデックスファイバ７Ａ、７Ｂ間に光アイソレータ素子を挟む場合はビームウエストが一致しない。従ってグレイデッドインデックスファイバの出射端面から離れた位置にビームウエストを形成するためにはＰ＞０．２５の条件が必要になる。
【００４６】
シングルモードファイバ６Ａから入った光は、第１のグレイデッドインデックスファイバ７Ａによってビーム径を拡大され、コアレスファイバ８の中央でビームウエストをもつビームとなって光アイソレータ素子１を通過し、再びコアレスファイバ８内を通過し、グレイデッドインデックスファイバ７Ｂによりビーム径を１０μｍに収束させられ第２のシングルモードファイバ６Ｂに伝播する。
【００４７】
本発明によれば、伝送路中に光学素子を挿入する構成であっても、レンズ系に相当する部分はほぼアライメントフリーとなる。また、グレイデッドインデックスファイバを用いているが焦点距離はコアレスファイバ８の長さで調整済みで光ファイバ体９の組み立て時点で保証されており、素子実装後に調整する必要がない。これは工程の簡略化ばかりでなく、工程の初期段階で、即ち光学素子等を固定する前に結合効率の不具合が確認できるため、工程トータルの効率化と不良による損害を大幅に減らすことが可能になる。
【００４８】
さらに、透光性充填材１１の屈折率がコアレスファイバ８の屈折率に対し０．９４〜１．０６の範囲とするのが好ましい。従って、コアレスファイバ８の端面角度がゼロ度であっても屈折率の差が無いのでフレネル反射が殆ど発生せず３０ｄＢ以上の反射減衰量を得ることが可能で作製が容易である。また、コアレスファイバ８端面に傾斜を設けることで容易に大きな反射減衰量が得られる。
【００４９】
さらに、透光性充填材１１のためにコアレスファイバ８の端面では、例え、傾斜があっても殆ど屈折が生じない。相対的屈折率と出射光線角度の関係を図４に示す。横軸がコアレスファイバ８の角度を示し、縦軸が出射光線角度、各直線がそれぞれ相対的屈折率を示す。相対的屈折率〜１．０６倍の条件では殆ど屈折が生じない。例えば、コアレスファイバ８の屈折率がほぼ純粋な石英で１．４５、透光性充填材１１の屈折率が１．４８（相対屈折率は１．０２倍）の条件でコアレスファイバ端面が１度の場合は０．０２度の出射光線角度しか持ない。一般の光学系では、ファイバ等からの光出射面で屈折が生じるため、その角度に応じて光学素子を傾けなければならない。本発明ではコアレスファイバ８の端面角度は光アイソレータ素子１の角度設定に殆ど影響を与えない。反射減衰を見込んだ最適値を別個に決めれば良い。また、各々の加工や設置の公差があっても相互に影響が無いため安定して作製できる。
【００５０】
しかも、石英系の光ファイバ体（屈折率１．４５）を用い透光性充填材の屈折率を１．３６３〜１．５３７とした場合、これは前述の相対屈折率０．９４〜１．０６の範囲になる。この状態で光アイソレータ素子の入射する光と出射する光のズレを検討した。挿入損失の増加を０．３ｄB以下に抑えるためには、上記の光のビーム径約４０μｍから入射光と出射光のズレをに５μｍ以下に抑える必要があることが判明した。この５μｍの範囲を溝角度、縦軸に光アイソレータ素子角度で示した図５（Ｂ）で示すと以下の数１〜数４に囲まれた斜線部の範囲であることがわかった。従って０．３ｄＢ以下を満たすことになるため光アイソレータ素子はこの図５（B）の斜線の角度で設置する。
【００５１】
透光性充填材が無い場合（空気の場合で屈折率＝１）、同様に挿入損失の増加を０．３ｄB以内に抑えるためにはの図５（A）に示す斜線の範囲の角度で光アイソレータ素子を設置することになるが図５（B）の方が遥かに広範囲で位置合わせ作業が可能となる。
【数９】
2006047951.tif 000007
【数１０】
2006047951.tif 000008
【数１１】
2006047951.tif 000009
【数１２】
2006047951.tif 000010
【実施例１】
【００５２】
本発明の実施例を図１を用いて説明する。
【００５３】
モードフィールド径１０μｍの石英系シングルモードファイバ６Ａ、コア径１０５μｍ、屈折率差０．５５％のグレイデッドインデックスファイバ７Ａを０．８ｍｍ、純石英でコアを持たないコアレスファイバ８を２ｍｍ、グレイデッドインデックスファイバ７Ａと同様のパラメータを持つグレイデッドインデックスファイバ７Ｂを０．８ｍｍ、シングルモードファイバ６Ｂをこの順番に融着接続し光ファイバ体９とした。
【００５４】
その後、ジルコニア製の基体１４に予め貫通孔を形成しておき、その貫通孔に光ファイバ体９をエポキシ系熱硬化型接着材１１にて固定した。
【００５５】
その後、基体１２ごと、光ファイバ体９のコアレスファイバ８の部分をダイシングにより分断し,光軸に対して１度の角度で溝部１０を形成した。
【００５６】
さらに第１の複屈折結晶２、ファラデー回転子５、第２の複屈折結晶３、第３の複屈折結晶４からなる光アイソレータ素子１を溝部１０内に４．５度の角度でＵＶ熱併用型のアクリル系接着剤にて接着し、隙間に透光性充填材１１としてエポキシ系の低ＴＧ（ＴＧ＜−５０度）のＵＶ硬化型接着剤１１を充填した。透光性充填材１１の屈折率は１．４８、コアレスファイバの屈折率は１．４５である。透光性充填材１１のコアレスファイバ８に対する相対屈折率は１．０３である。
【００５７】
なお、第１と第３の複屈折結晶２、４には５００μｍ厚のルチルの単結晶を使用し、ファラデー回転子５には４７０μｍ厚のビスマス置換型ガーネットを、第２の複屈折結晶３には水晶の１／２波長板を用いた。ファラデーは回転子５には磁石にて磁界を印加するが、磁石は略した。該光アイソレータ素子は４．５度の角度にて設置され、ビームシフトを補正している。また、該光アイソレータ素子の角度は図５（Ｂ）に示すとおり、溝１度の場合約５．２度まで許容できる。
【００５８】
図３にコアレスファイバ８の屈折率を１とした場合の透光性充填材１１の相対的屈折率と反射減衰量の関係を示す。コアレスファイバ８の端面角度、即ち、コアレスファイバ８と透光性充填材１１の境界面の角度はゼロ度であっても相対屈折率１．０２では約４０ｄＢの反射減衰量となる。１度傾ければ更に反射減衰量は大きくなり前記条件では反射減衰量は６０ｄＢ以上となることがわかる。
【００５９】
一方、相対的屈折率と出射光線角度の関係を図４に示す。横軸がコアレスファイバ８の角度を示し、縦軸が出射光線角度、各直線がそれぞれ相対的屈折率を示す。先と同様に透光性充填材１１の屈折率が１．４８（相対屈折率は１．０２倍）の条件でコアレスファイバ端面が１度の場合は０．０２度の出射光線角度しか持たず、光アイソレータ素子１の角度設定に殆ど影響を与えないということがわかる。そのために図５（Ｂ）に示すように光アイソレータ素子の設置角度が広範な条件にて可能となるのである。
【図面の簡単な説明】
【００６０】
【図１】本発明の実施例を示す模式図である。
【図２】従来の光アイソレータの構成と動作を説明する図である。
【図３】透光性充填材の相対的屈折率と反射減衰量の関係を示すグラフである。
【図４】コアレスファイバの端面角度と出射光線角度の関係を示すグラフである。
【図５】ビームズレを５μｍ以内に抑える溝角度とアイソレータ素子角度の関係を示すグラフであって（Ａ）は透光性充填材を用いず空気空間の場合、（Ｂ）は透光性充填材を用いた場合を示す。
【符号の説明】
【００６１】
１、光アイソレータ素子
２、３、４、複屈折結晶
５、ファラデー回転子
６Ａ、６Ｂ、シングルモードファイバ
７Ａ、７Ｂ、グレイデッドインデックスファイバ
８、コアレスファイバ
９、光ファイバ体
１０、溝部
１１、透光性充填材
１２、基体
１３、入射光ファイバ
１４、出射光ファイバ
Ｍ１、偏光無依存型光アイソレータ
【図１】
2006047951.tif 000015
【図２】
2006047951.tif 000016
【図３】
2006047951.tif 000017
【図４】
2006047951.tif 000018
【図５】
2006047951.tif 000019